(57)【要約】    【課題】  本発明の課題は、エレベータ天井面に既設の（雌型）ネジ穴を有効に活用しうるような照明装置取付用のブラケットを提供することである。    【解決手段】  エレベータの天井面に設けた２つ一組の固定ネジ穴と、これらに対応する固定ネジとを用いて前記天井面に固定される、照明装置取付用のブラケットであって、一組の前記固定ネジ穴間の距離に対応した間隔を有する１組の長孔を、２組、設けると共に、これら４つの長孔を、略正方形状に配置しかつ１組の前記長孔を結ぶ仮想線に沿って細長く延在するように形成していることを特徴とするブラケット。【選択図】  図１
2009146809.tif 000002
【特許請求の範囲】
【請求項１】
エレベータの天井面に設けた２つ一組の固定ネジ穴と、これらに対応する固定ネジとを用いて前記天井面に固定される、照明装置取付用のブラケットであって、
一組の前記固定ネジ穴間の距離に対応した間隔を有する１組の長孔を、２組、設けると共に、これら４つの長孔を、略正方形状に配置しかつ各組の前記長孔を結ぶ仮想線に沿って細長く延在するように形成していることを特徴とするブラケット。
【請求項２】
当該ブラケットは、ブラケット本体を備え、このブラケット本体は、前記長孔の輪郭を形成する長孔形成部を備え、
前記長孔形成部は、当該ブラケットを天井面に固定した際、前記天井面と前記ブラケット本体との間に隙間を形成するような段部であることを特徴とする請求項１記載のブラケット。
【請求項３】
前記照明装置は、電源部と、照明部としての外部電極蛍光管とを並置した外部電極蛍光管装置であることを特徴とする請求項１記載のブラケット。
【請求項４】
請求項１記載のブラケットを用いて取付られることを特徴とする照明装置。
【請求項５】
請求項１記載のブラケットと、電源部と外部電極蛍光管とを並置した外部電極蛍光管装置とを含んでなることを特徴とする照明装置キット。
【発明の詳細な説明】
【技術分野】
【０００１】
本発明は、既設の設備を活用して天井面に固定される、照明装置用のブラケットに関する。天井面に固定された、本発明のブラケットには、外部電極蛍光管装置のような照明装置を取付けることができる。
【背景技術】
【０００２】
エレベータの天井面に設置される照明は、エレベータ製造会社によって種々のデザインの照明が採用されており、例えば、ある種のエレベータ製造会社では照明装置として、円形の冷陰極蛍光管を用いた装置を採用し、天井面に２つ一組の固定ネジ穴を設け、固定ネジを、かかる装置の固定ネジ用開口部に通して、かかる装置を直接、天井面に固定している。このような一組の固定ネジ穴は、矩形天井面の一辺に略平行に配置されている（このような配置を「縦型配置」と呼ぶ）。
本発明らはこの冷陰極蛍光管に代えて、かかる冷陰極蛍光管に比し長寿命の外部電極蛍光管の採用を試みた。
しかしながら、既設の冷陰極蛍光管・照明装置は、円形の冷陰極蛍光管を用いた対象の形態であるため、この装置用の固定ネジ穴も、前記縦型配置に加え、前記縦型配置を、２つのネジ穴を結んだ線分の中点を中心として９０度回転させた横型に配置されている場合もある（横型配置）。他方、本発明者らが試みた、長寿命の外部電極蛍光管を用いた照明装置は、その性能上、円形の形態よりも直線形態が好適であり、この直線状の外部電極蛍光管を用いた照明部と、電源部とを間隔をおいて並置した並置形態であるため、エレベータ中央で最大の照度を得るには照明部（外部電極蛍光管）を電源部よりも前記エレベータ中央に近付くように配置する必要があり、その結果、照明装置の天井面への取付方向は、一義的に決定される。このため、電源部と照明部（外部電極蛍光管）とを並置した形態の照明装置は、前記した縦型配置や横型配置として配置されている既設の固定ネジ穴を活用できない場合がある。また、エレベータ設置場所により、１組の固定ネジ穴の間隔も一定ではない場合もあり、これも既設の固定ネジ穴を活用できない要因となり、実質的に照明装置の取付けが不可能となる問題があった。
他方、照明装置を天井面に取付る際に、照明装置と、天井面との間にブラケットを介在させることは既知であるが（例えば、以下の特許文献１）、このような特許文献１を含め、天井面に既に設けられた設備を有効に活用可能にさせるような従来技術は、全く見当たらない。
【０００３】
【特許文献１】実用新案登録２５８１１１２号公報
【０００４】
【発明の開示】
【発明が解決しようとする課題】
【０００５】
本発明の課題は、前記問題点に鑑み、エレベータ天井面に既設の（雌型）ネジ穴を有効に活用しうるような照明装置取付用のブラケットを提供することである。
【課題を解決するための手段および効果】
【０００６】
本発明者らは、前記課題を解決すべく鋭意検討した結果、照明装置取付用のブラケットに関し、既設の一組の固定ネジ穴に対応する孔を、一組ではなく２組設けることにより、既設の縦型配置・固定ネジ穴にも横型配置・固定ネジ穴にも対応することができると共に、これらの孔を長孔とすることにより、既設の固定ネジ穴の間隔の変化にも対応させることができ、これにより前記課題を解決できることを見出し、この知見に基づき本発明が完成するに至ったのである。
すなわち、本発明は、エレベータの天井面に設けた２つ一組の固定ネジ穴と、これらに対応する固定ネジとを用いて前記天井面に固定される、照明装置取付用のブラケットであって、
一組の前記固定ネジ穴間の距離に対応した間隔を有する１組の長孔を、２組、設けると共に、これら４つの長孔を、略正方形状に配置しかつ各組の前記長孔を結ぶ仮想線に沿って細長く延在するように形成していることを特徴とするブラケットを提供する。
本発明によれば、本発明の発明特定事項、とくに４つの長孔を正方形状に配置することにより、縦型配置や横型配置の既設固定ネジ穴を活用することができるという、技術的効果を奏することができ、加えて、本発明の長孔を、各組の長孔を結ぶ仮想線方向に細長く形成することにより、既設の固定ネジ穴間隔が狭い場合や広い場合にも、既設の固定ネジ穴を活用することができるという、技術的効果を奏することができたのである。
【０００７】
本発明によれば、好適には、当該ブラケットは、ブラケット本体を備え、このブラケット本体は、前記長孔の輪郭を形成する長孔形成部を備え、前記長孔形成部は、当該ブラケットを天井面に固定した際、前記天井面と前記ブラケット本体との間に隙間を形成するような段部であることを特徴とする。また、好適には、前記照明装置は、電源部と、照明部としての外部電極蛍光管とを並置した外部電極蛍光管装置であることを特徴とする。
本発明の第２の態様によれば、本発明は、本発明のブラケットを用いて取付られることを特徴とする照明装置を提供する。
本発明の第３の態様によれば、本発明は、本発明のブラケットと、電源部と外部電極蛍光管とを並置した外部電極蛍光管装置とを含んでなることを特徴とする照明装置キットを提供する。
【発明を実施するための最良の形態】
【０００８】
前記したように、本発明は、エレベータ（２０１）の天井面（８）に設けた２つ一組の固定ネジ穴（９）に対し、固定ネジ（１０）を用いて固定される、照明装置（１０１）取付用のブラケット（１）であって、
一組の前記固定ネジ穴（９）間の距離に対応した間隔を有する１組の長孔（２）を、２組、設けると共に、これら４つの長孔を、略正方形状に配置しかつ１組の長孔（２）を結ぶ仮想線に沿って細長く延在するように形成していることを特徴とするブラケット（１）を提供する（図１等、参照）。
「照明装置」には、電源部と、照明部とを並置する並置形態の照明装置（実施例）の他に、これら要素を重ねた積層形態の照明装置も包含されるが、本発明のブラケットにとって有利には、前者の並置形態の照明装置である。また、照明装置の照明部は、直線型でも円形型であってもよいが、外部電極蛍光管を照明部として用いる場合、円形型は、高電圧が印加される２つの電極が近接するため、近接した空間で放電が起こり、ランプ本来の照度を達成できない場合があるのに対し、この円形型に比し２つの電極を離して形成しうる直線型の外部電極蛍光管は、以上の欠陥がない。したがって、本発明に特に有利な照明装置は、電極部と、照明部としての外部電極蛍光管とを並置した外部電極部蛍光管装置（実施形態）である。
本明細書において「天井面側／非天井面側」なる用語は、本発明のブラケットを天井面に固定した適用状態を基準とし、この適用状態で天井面に接触する面は、天井面側に存在し、天井面に接触しない面は非天井面側に存在する。
また、本明細書において「平面視」なる用語は、天井面側から見た状態を基準とする。
【０００９】
次に、添付の図面を参照しながら、発明を実施するための最良の形態を説明することにより本発明を更に詳しく説明するが、本発明は、これら実施形態、変形例等に限定されるものではない。
図１は、本発明のブラケットの実施形態を示す、天井面側から見た斜視図、図２は、図１に示したブラケットを天井面に固定し、固定したブラケット（破線で図示）に取付けた外部電極蛍光管装置を示す、非天井面側から見た斜視図、図３は、図２のＡ−Ａ線に沿って切欠した模式的断面図、図４は、図２に示した外部電極蛍光管装置を設置したエレベータ上部を示す、模式的垂直断面図、図５は、図４に示した外部電極蛍光管装置を点灯状態で示す、非天井面側から見た平面図である。
なお、図１を含め、他の図面において、同じ要素については場合によりその説明並びに番号を省略した。
【００１０】
−ブラケット…実施形態−
図１に示すように、本発明のブラケット１は、平面視正方形のブラケット本体４と、この本体４の一方の対向辺から連なる照明装置取付部５と、本体４の他方の対向辺から連なり本体４を補強するための補強部７とを備える。
＜ブラケット本体４＞
ブラケット本体４は、長孔２と、この長孔２の輪郭を形成する長孔形成部３とを有する。
＜＜長孔２＞＞
長孔２は、一定の幅と前記仮想延長線に沿った長さを有する細長い空間であって、各組の長孔２の間隔は、種々の間隔変動を示す既設の固定ネジ穴９（図３）間隔に整合させたものである。したがって、長孔２の寸法は使用する固定ネジ１０（図３）の通過に充分な前記幅と、既設固定ネジ穴９の間隔の変動に対応した前記長さとを有し、これにより既設の固定ネジ穴９を有効に活用することができる。
４つの長孔２は、ブラケット本体４において、略正方形の形状になるように配置して、一組の長孔２を結ぶ線分を相互に略直交させており、このため、既設の固定ネジ穴９の配置〔図３、参照〕が、相互に９０度回転させた縦型または横型配置のいずれである場合にも適用することができる。
＜＜長孔形成部３＞＞
長孔形成部３は、前記適用状態において、前記天井面８とブラケット本体４との間に隙間を形成するような段部であり、この隙間は、しばしばエレベーター２０１の天井を設置するためのネジ等の突起物が天井面８から突き出ている状態を考慮したものである。すなわち、段部形態の長孔形成部３は、このような突起物がブラケット本体４に接触することを防止する技術的効果を奏することができる。
＜照明装置取付部５＞
前記したように、照明装置取付部５は、一方の対向辺から連設され、前記適用状態おいて垂直下方に延在する垂直壁部５’と、この垂直壁部５’に連なりかつ系外方に水平に延在する平面視長方形の水平壁部５’’とを有し、この水平壁部５’において照明装置取付用のネジ孔６を備える。
このように垂直壁部５’を設けることにより、水平壁部５’’は、天井面８との間隔を開けることができ、これにより、前記したようなネジ等の突起物との接触を回避することができる。
【００１１】
−照明装置（外部電極蛍光管装置）１０１…実施形態−
本発明の照明装置１０１は、平面視長方形のベース１０２を備え、このベース１０２において電源部１０３と、照明部としての外部電極蛍光管１０４とを非天井面側に載置し、さらにこれら要素１０３と１０４との間に、ブラケット１への取付用のだるま形孔１０５を２つ形成している（図２、参照）。
外部電極蛍光管１０４は、直線状の蛍光管本体１０７を４本備えた４灯式であり、電源部１０３と共に、ベース１０２において並置されている。このように並置された照明装置１０１では、エレベーター２０１中央に向けた照射方向から、外部電極蛍光管１０４を、電源部１０３よりも系内に配置する必要がある（図４／図５、参照）。また、これら外部電極蛍光管１０４と電源部１０３との重量バランスから、ダルマ形孔１０５は、これら要素の間に設ける必要がある。したがって、このような実施形態では、外部電極蛍光管装置１０１の配置方向は、一義的に決定される。それにも拘らず、既設の雌型固定ネジ穴９は、必ずしも、一義的に決定された配置方向に一致しない場合があり、このような場合でも、前記したように、本発明のブラケット１を用いれば、所望の配置方向に取付けることができる。
なお、だるま形孔１０５は、取付ネジ１０６（図３）の頭部を挿通する大径の孔部と、この取付ネジ１０６の首部に係止するスリット部とからなり、このだるま形孔１０５を用いると、外部電極蛍光管装置１０１の取付が容易になる。
【産業上の利用可能性】
【００１２】
本発明の照明装置としての外部電極蛍光管装置１０１は、次のようにして、エレベータ２０１の照明に利用することができる。
まず、本発明のブラケット１を天井面８に固定したのち、本発明の外部電極蛍光管装置１０１をブラケット１に取付け、次いで、天井面８の下方に設けた拡散板載置ボード２０２の開口部２０３から四角錐形状の拡散板２０４を前記ボード２０２上に載置する（図４、参照）。このように配置して、点灯すれば、優れたデザインの照明装置としての外部電極蛍光管装置１０１を達成することができる（図５、参照）。
【図面の簡単な説明】
【００１３】
【図１】本発明のブラケットの実施形態を示す、天井面側から見た斜視図。
【図２】図１に示したブラケットを天井面に固定し、固定したブラケット（破線で図示）に取付けた外部電極蛍光管装置を示す、非天井面側から見た斜視図。
【図３】図２のＡ−Ａ線に沿って切欠した模式的断面図。
【図４】図２に示した外部電極蛍光管装置を設置したエレベータ２０１上部を示す、模式的垂直断面図。
【図５】図４に示した外部電極蛍光管装置を点灯状態で示す、非天井面側から見た平面図である。
【符号の説明】
【００１４】
１：ブラケット  ２：長孔  ８：天井面  ９：固定ネジ穴
１０：固定ネジ  １０１：照明装置  ２０１：エレベータ
【図１】
2009146809.tif 000003
【図２】
2009146809.tif 000004
【図３】
2009146809.tif 000005
【図４】
2009146809.tif 000006
【図５】
2009146809.tif 000007